(57)【要約】【課題】小型で且つ軽量であり、しかも機能を低下させることなく安価に製作できる洗濯堅牢度試験機を提供すること。【解決手段】洗濯堅牢度試験を行う試験片Ｓを所定温度の温水Ｗ１とともに収容する試験瓶１と、該試験瓶１を回転させる回転駆動装置２とを有しているとともに、上記試験瓶１に保温性のある断熱容器を使用していることで、洗濯堅牢度試験の時間中（３０分間）は試験瓶１内の試験液Ｗ１の温度をＪＩＳＬ ０８４４で規定された試験方法に準拠した所定温度範囲に維持させ得るようにしている。【選択図】  図２
0003191610.tif 000002
【実用新案登録請求の範囲】
【請求項１】
洗濯堅牢度試験を行う試験片（Ｓ）を所定温度の温水（Ｗ１）とともに収容する試験瓶（１）と、該試験瓶（１）を回転させる回転駆動装置（２）とを有しているとともに、上記試験瓶（１）は、保温性のある断熱容器を使用していることを特徴とする洗濯堅牢度試験機。
【請求項２】
請求項１において、上記試験瓶（１）を複数個使用する場合は、複数個の各試験瓶（１，１・・）を上記回転駆動装置（２）のモータ（２１）によって回転される回転軸（２２）の対称位置に振り分けて取付けることを特徴とする洗濯堅牢度試験機。
【考案の詳細な説明】
【技術分野】
【０００１】
本願考案は、洗濯による染色堅牢度（変退色や汚染の度合い）を試験するための洗濯堅牢度試験機に関するものである。
【背景技術】
【０００２】
洗濯に対する染色堅牢度試験は、染色した繊維が洗濯によって変退色（色落ち）したり、他の繊維を汚染（色移り）したりする度合いを試験するもので、ＪＩＳ（日本工業規格）Ｌ０８４４において「洗濯に対する染色堅牢度試験方法」（以下、これを洗濯堅牢度試験方法という）として規定されている。
【０００３】
この洗濯堅牢度試験方法（ＪＩＳ Ｌ ０８４４）の代表例としてＡ−２号と称されるものがある。このＡ−２号の洗濯堅牢度試験方法は、一般繊維における変退色や汚染の度合いを検査するためのもので、試験液と試験片とステンレス鋼球とを入れた試験瓶を、試験液の温度を５０℃±２℃に維持した状態で、毎分４０回転程度の回転スピードで、３０分間回転させるものである。そして、上記の処理後に、試験片を試験瓶から取り出して乾燥させ、該試験片を変退色用グレースケールや汚染用グレースケールに照合することで、試験片の変退色や汚染の度合いを検査し得る。
【０００４】
ところで、染色堅牢度試験に関する背景として、次のようなものがある。
【０００５】
まず、近年、染色堅牢度に問題が生じ易い合成繊維素材の使用が増えており、洗濯による変退色（色落ち）や着用中に他の衣類への移染（汚染と同意味）などの消費者クレームの発生が増加している。なお、近年、多く用いられるようになった繊維の一例として、例えばマイクロファイバー繊維があるが、このマイクロファイバー繊維は、フィラメントが非常に細い繊維を多数束ねて１本にしたもので、柔らかい風合いが得られる反面、堅牢度が悪いというデメリットがある。
【０００６】
また、近年では、繊維製品の生産拠点の多くは、日本国内から中国をはじめとする国外新興国に移行しており、商品が国外から国内に入って堅牢度検査を行った結果、不合格であると再生産が必要となって、納期遅れなどの支障が出る。
【０００７】
上記した洗濯堅牢度試験は、例えば図３に示す試験機を用いて行われる。なお、図３に示す洗濯堅牢度試験機は、財団法人日本規格協会発行（平成２３年７月２０日改正）の「洗濯に対する染色堅ろう度試験方法」と題する説明書に掲載されたものである。
【０００８】
図３に例示する公知の洗濯堅牢度試験機は、試験槽１００内に回転駆動装置１０２により横向き姿勢で回転せしめられる回転軸１２２を設置し、該回転軸１２２の回りに複数個の試験瓶１０１，１０１・・を取付けているとともに、試験槽１００内の水Ｗを所定温度範囲の恒温に維持させるための恒温維持装置を備えて構成されている。
【０００９】
図３の洗濯堅牢度試験機には、試験槽１００内に水Ｗを給排するための給排水設備が設けられている。なお、図３には、給排水設備として給水管は図示していないが、排水管１０３を表示している。
【００１０】
試験瓶１０１は、容量が例えば５５０cc程度（特に限定するものではない）の蓋つき密閉容器である。図３の例示では、試験瓶１０１は回転軸１２２の回りに８個（１箇所につき十字状に４個設けたものを軸方向に２箇所設けている）使用している。
【００１１】
この試験瓶１０１内には、所定量（例えば１００cc）の試験液と、検査対象となる試験片（複合試験片の場合と単葉試験片の場合がある）と、ステンレス鋼球とが収容されるが、洗濯堅牢度試験時には試験瓶１０１内の試験液を、ＪＩＳ規定の試験方法に準拠した所定温度範囲の恒温（例えば試験方法がＡ−２号の場合は５０℃±２℃）に維持させた状態で行うことが要求されている。
【００１２】
図３の洗濯堅牢度試験機では、各試験瓶１０１，１０１・・内に収容される試験液を所定時間（３０分間）所定の恒温状態（例えば上記５０℃±２℃）に維持させるために、試験槽１００内の水Ｗを恒温維持装置により所定の恒温状態に維持させるようにしている。
【００１３】
この恒温維持装置には、試験槽１００内の水Ｗを加熱するヒーター１０４と、該水Ｗの温度を検出する水温検出器１０５と、該水Ｗの温度をＪＩＳ規定の試験方法に準拠した所定温度範囲の恒温（例えば上記５０℃±２℃）に維持させる温度調節器（図示省略）とが用いられている。なお、上記恒温維持装置がない場合には、最初に試験槽１００内に貯留する水温を洗濯堅牢度試験に必要な温度（例えば上記５０℃±２℃）に設定していても、所定の運転時間（３０分間）内に試験槽１００内の水Ｗが温度低下してしまい、それによって試験瓶１０１内の試験液も温度低下するので、ＪＩＳで規定した洗濯堅牢度試験が行えなくなる。
【００１４】
回転駆動装置１０２は、モータ１２１により回転軸１２２を規定された所定の回転速度（毎分４０回転程度）で連続回転させるものである。
【００１５】
図３の洗濯堅牢度試験機を使用して、試験片の洗濯堅牢度試験を行うには、恒温維持装置（ヒーター１０４、水温検出器１０５、図示しない温度調節器）により試験槽１００内の水Ｗの温度をＪＩＳ規定の試験方法に準拠した恒温（例えば上記５０℃±２℃）に維持させておき、各試験瓶１０１，１０１・・内にＪＩＳ規定の試験方法に準拠した温度（５０℃±２℃）の所定量（１００cc）の試験液と試験片（複合試験片の場合と単葉試験片の場合がある）とステンレス鋼球とを収容して密閉する。
【００１６】
そして、上記恒温維持装置（ヒーター１０４、水温検出器１０５、図示しない温度調節器）により試験槽１００内の水温を所定の恒温に維持させながら、回転駆動装置１０２により各試験瓶１０１，１０１・・を回転させることで、該各試験瓶１０１，１０１・・を恒温水Ｗ中に順次潜らせる（浸漬する）ことができ、それによって該各試験瓶１０１，１０１・・内の試験液が温度低下することなく所定恒温状態（上記５０℃±２℃）に維持されたまま連続運転される。なお、１回の運転時間は３０分間であり、その運転時間が経過すると運転が停止し、各試験瓶１０１，１０１・・内の試験片を取り出し、該試験片を乾燥した後、該試験片を変退色用グレースケールや汚染用グレースケールに照合することで試験片の変退色や汚染の度合いを検査できる。
【先行技術文献】
【特許文献】
【００１７】
【非特許文献１】財団法人日本規格協会発行（平成２３年７月２０日改正分）の「洗濯に対する染色堅ろう度試験方法」と題する説明書中の挿入図（図１の正面図）
【考案の概要】
【考案が解決しようとする課題】
【００１８】
ところで、図３に示す公知の洗濯堅牢度試験機では、次のような問題点があった。
【００１９】
(1) 試験運転中において、各試験瓶１０１，１０１・・内の試験液を所定の恒温（例えば５０℃±２℃）に維持させるのに、該試験瓶１０１を試験槽１００内の恒温水Ｗ（５０℃±２℃）中に順次潜らせる（浸漬する）ことで達成するようにしている関係で、試験槽１００が必須の構成となるので、試験機全体が大型・大重量化してしまう。
【００２０】
(2) 試験槽１００内に水Ｗを収容するものでは、該試験槽１００への給排水設備（例えば排水管１０３）を接続する必要があるので、定位置だけでの使用形態となる（別の場所に移動させて堅牢度試験に供することができない）。なお、従来から汎用されているこの種の試験機では、重量が７０〜１００Kg程度であって、試験槽１００に水Ｗを入れるとさらに数１０Kg重くなることから、どうしても固定式となる。
【００２１】
(3) この種の洗濯堅牢度試験は、一般に検査機関に検査を依頼することが多いが、その場合は洗濯堅牢度試験の結果が出るまでに数週間必要となる（待ち日数が長くなって、急ぎに間に合わないことがある）。
【００２２】
(4) 各試験瓶１０１，１０１・・内の試験液を所定恒温に維持させる（温度低下を防止する）のに、試験槽１００内の水Ｗを恒温維持装置（ヒーター１０４、水温検出器１０５、温度調節器等）で所定恒温状態に維持させておく必要があるので、その恒温維持装置が必要となる。
【００２３】
(5) 上記(1)、(2)及び(4)の設備が必要なので、それらの設備のための構成が複雑となるとともに、試験機全体の製造コストが高価なものとなる。
【００２４】
そこで、本願考案は、小型で且つ軽量であり、しかも機能を低下させることなく安価に製作できる洗濯堅牢度試験機を提供することを目的としている。
【課題を解決するための手段】
【００２５】
本願考案は、上記課題を解決するための手段として次の構成を有している。なお、本願考案は、洗濯による染色堅牢度を試験するための洗濯堅牢度試験機を対象にしている。
【００２６】
そして、本願考案の洗濯堅牢度試験機は、添付の図１及び図２に例示するように、洗濯堅牢度試験を行う試験片Ｓを所定温度の温水Ｗ１とともに収容する試験瓶１と、該試験瓶１を回転させる回転駆動装置２とを有しているとともに、上記試験瓶１は、保温性のある断熱容器を使用していることを特徴とするものである。
【００２７】
本願考案で使用する試験瓶１としては、該試験瓶１内に収容する試験液の量が１００cc程度であるので、例えば２００cc程度以上（上限として例えば６００cc程度まで）の容量があればよい。
【００２８】
また、この試験瓶１は、温水Ｗ１を密封状態で試験時間（３０分間）収容しても、該温水Ｗ１の温度がほとんど低下しない（２〜３℃程度までの温度低下は許容範囲である）ような断熱容器であればよい。なお、この試験瓶１として使用できる断熱容器としては、例えばステンレス製の真空断熱二重壁構造のものが好適である。
【００２９】
この試験瓶１の使用個数は１個だけでもよいが、複数個の試験瓶１，１・・を単一の回転駆動装置２で同時に回転させるようにしたものでもよい。その場合は、複数個の各試験瓶１，１・・を、回転駆動装置２のモータ２１によって回転される回転軸２２の対称位置に振り分けて取付けるとよい（回転時の重量バランスが良好となる）。
【００３０】
本願考案の洗濯堅牢度試験機は次のようにして使用される。まず、試験瓶１内に、ＪＩＳ Ｌ ０８４４で規定された試験方法に準拠した所定温度（例えばＡ−２号では５０℃±２℃）まで温めた所定量（例えば１００cc）の温水Ｗ１と、堅牢度試験を行う試験片Ｓと、所定個数のステンレス鋼球とをそれぞれ収容した状態で、該試験瓶１を密閉し、その試験瓶１を回転駆動装置２で回転可能にセットする。
【００３１】
そして、該回転駆動装置２により試験瓶１を所定の回転数（例えば毎分４０回転）で所定の試験時間（３０分間）連続して回転させ、その試験時間経過後に運転を停止し、試験瓶１内の試験片Ｓを取り出し、該試験片Ｓを乾燥させることで、該試験片Ｓの洗濯堅牢度（変退色や汚染の度合い）を検査できる。
【考案の効果】
【００３２】
本願考案の洗濯堅牢度試験機は、次のような効果がある。
【００３３】
即ち、試験瓶１として保温性のある断熱容器を使用しているので、該試験瓶１内に収容した試験液Ｗ１が試験時間中（３０分間）に許容範囲以上、温度低下することがない。従って、本願の洗濯堅牢度試験機では、試験瓶１内の水Ｗ１を所定の恒温状態に維持のための特別な恒温維持装置が不要であるので、洗濯堅牢度試験機全体をシンプルでコンパクト（小型・軽量）に製作できるという効果がある。
【００３４】
また、このように試験機全体をシンプルでコンパクト（小型・軽量）に構成したものでは、製作費が安価となり、しかも試験機を持ち運びできるので使用場所の変更が容易である（試験機の貸し出しが可能になる）という効果がある。
【００３５】
なお、試験瓶１を複数個使用する場合には、該複数個の試験瓶１，１・・を回転駆動装置２の回転軸２２の対称位置に振り分けて取付けることで、回転時の重量バランスが良好となるという効果がある。
【図面の簡単な説明】
【００３６】
【図１】本願実施例の洗濯堅牢度試験機の全体斜視図である。
【図２】図１のII−II拡大断面図である。
【図３】公知の洗濯堅牢度試験機の概略図である。
【考案を実施するための形態】
【００３７】
［実施例］
以下、図１及び図２を参照して本願実施例の洗濯堅牢度試験機を説明すると、この実施例の洗濯堅牢度試験機は、合計４個の試験瓶１，１・・を使用し、該各試験瓶１，１・・を回転駆動装置２で連続回転させるように構成したものである。なお、試験瓶１の使用個数は特に限定するものではなく、例えば１〜８個程度の中から適宜の個数を選択できる。
【００３８】
回転駆動装置２は、ボックス３内に収容したモータ（ギヤドモータ）２１で回転軸２２を回転させるものである。
【００３９】
回転軸２２は、四角棒製で、ボックス３の側面から横向き姿勢で突出させている。
【００４０】
回転軸２２の下方には、該回転軸２２を支持するための軸支持台４が設けられている。この軸支持台４は、一端がボックス３の側面に固定された状態で回転軸突出方向に延出された底板４１と、該底板４１の基端部及び先端部においてそれぞれ上向きに立設された２つの支柱４２，４２とを有している。
【００４１】
そして、上記回転軸２２は、上記各支柱４２，４２の上部寄り位置に設けた各軸受２３，２３で回転自在に支持している。
【００４２】
回転軸２２の外側対称位置には、２個を１組とする２組（合計４個）のホルダー２４，２４・・が取付けられている。この各ホルダー２４，２４・・は、試験瓶１の胴部外周を保持するもので、それぞれ止具２５で試験瓶１を固定又は固定解除し得るようにしたものである。
【００４３】
上記各試験瓶１，１・・は、円筒形の蓋付き容器であって、容器本体１１の開口部を蓋体１２で密閉し得るようにしたものである。即ち、この各試験瓶１は、蓋体１２を容器本体１１に開口部外周に対して螺合により緊締することで内部を密閉し得るものである。
【００４４】
また、この試験瓶１は、高度な断熱性能を確保するために、この実施例では、図２に示すように、容器本体１１及び蓋体１２にそれぞれステンレス製の真空断熱二重壁構造を採用している。即ち、容器本体１１部分は、外壁１１ａと内壁１１ｂからなる真空断熱二重壁構造を有し、蓋体１２部分も、外壁１２ａと内壁１２ｂからなる真空断熱二重壁構造を有している。なお、本願で使用する試験瓶１は、許容される断熱性能を有するものであれば、真空断熱二重壁構造でないもの（例えば内外両壁間に断熱材を介在させたもの）でもよい。
【００４５】
ところで、ＪＩＳ Ｌ０８４４に規定された洗濯堅牢度試験方法では、試験瓶１内に収容する試験液Ｗ１の量が１００cc程度である関係で、この実施例で使用する試験瓶１の容量は２００cc程度のものを採用している。
【００４６】
図１及び図２に示す実施例の洗濯堅牢度試験機では、試験機本体部分の重量が２２５０ｇで、試験瓶１の１個当たりの重量が１１０ｇ（４個で４４０ｇ）であって、総重量が２６９０ｇ程度と軽量に製作している。
【００４７】
なお、図１において、符号３１はモータ発停用のスイッチ、３２はヒューズ、３３は試験時間が経過したことを報知するブザー、３４は通電状態を表示する表示灯である。また、この洗濯堅牢度試験機の電気回路には、交流電流を直流電流に変換したり電圧が８５Ｖ〜２５０Ｖまでのものにも適用できるようにするための直流安定化電源や、試験時間を計測するタイマー等が組み込まれている。
【００４８】
この実施例の洗濯堅牢度試験機は次のようにして使用される。まず、試験瓶１内に、ＪＩＳ Ｌ ０８４４で規定された試験方法に準拠した所定温度（例えばＡ−２号では５０℃±２℃）まで温めた所定量（例えば１００cc）の温水Ｗ１と、堅牢度試験を行う試験片Ｓと、所定個数のステンレス鋼球とを収容した状態で、該試験瓶１を密閉し、４つの試験瓶１，１・・をそれぞれのホルダー２４，２４・・（４カ所）で保持させる。このとき、各試験瓶１，１・・は、それぞれ長さ方向の中央位置付近をホルダー２４で保持させると回転時の重量バランスが良好となる。
【００４９】
なお、４つの試験瓶１，１・・内にそれぞれ収容される試験片Ｓは、同種のものでも異種のものでもよい。また、該試験片Ｓとしては、染色繊維片と白色繊維片とを緩く接合させた複合試験片の場合と、１枚の染色繊維片のみの単葉試験片の場合がある。
【００５０】
また、試験瓶１内に収容する温水Ｗ１は、ＪＩＳ規定の試験方法に準拠した許容範囲温度（例えばＡ−２号では５０℃±２℃）の上限付近（例えば５２℃）の温度のものを用いると、試験時間（３０分間）中において僅かに温度低下（例えば２〜３℃程度低下）した場合でも、試験温度として許容できる範囲内に収まる。
【００５１】
上記のようにセットした状態で、回転駆動装置２で回転軸２２を所定の回転数（例えば毎分４０回転）で回転させると、各試験瓶１，１・・が回転軸２２の回りで旋回し、各試験瓶１，１・・内で水Ｗ１と試験片Ｓが撹拌されて、試験片Ｓの変退色作用又は汚染作用が進行する。そして、所定の試験時間（３０分間）が経過すると、タイマー作動によりモータ２１が停止した後、ブザーで報知され、スイッチ３１を切ることでブザーを停止できる。その後、試験瓶１内の試験片Ｓを取り出し、該試験片Ｓを乾燥させることで、該試験片Ｓの洗濯堅牢度（変退色や汚染の度合い）を検査できる。
【００５２】
なお、この洗濯堅牢度試験機による試験時において、試験瓶１内の温水の温度を上げたり、試験瓶１の回転速度を変更したりすることで、ＪＩＳで規定されている方法よりも短時間で同じ試験結果を得ることもできる。また、この洗濯堅牢度試験機は、ＪＩＳによる試験以外にＩＳＯなどの国際基準にも使用できる。
【００５３】
この実施例の洗濯堅牢度試験機では、上記のように、試験瓶１として保温性のある断熱容器を使用しているので、該試験瓶１内に収容した試験液Ｗ１が試験時間中（３０分間）に許容範囲以上、温度低下することがない。従って、試験瓶１内の水Ｗ１を恒温維持のための特別な恒温維持装置が不要となるので、洗濯堅牢度試験機全体をシンプルでコンパクト（小型・軽量）に製作できる。例えば、この洗濯堅牢度試験機の総重量が、上記のように２６９０ｇ程度の軽量に製作できる。
【００５４】
また、このように試験機全体をシンプルでコンパクト（小型・軽量）に構成したものでは、製作費が安価となり、しかも試験機を持ち運びできるので使用場所の変更が容易である（試験機の貸し出しが可能になる）。
【００５５】
また、この実施例の洗濯堅牢度試験機では、上記のように小型・軽量であり、しかもＡＣ８５Ｖから２５０Ｖまでの交流電源がある場所において使用できるので、国内・国外を問わず機械を携帯して検査場所に持ち込むことができる（出張検査に提供できる）ので、利便性が高いものとなる。
【符号の説明】
【００５６】
１は試験瓶（保温機能を有した断熱容器）、２は回転駆動装置、１１は容器本体、１２は蓋体、２１はモータ、２２は回転軸である。
【図１】
0003191610.tif 000003
【図２】
0003191610.tif 000004
【図３】
0003191610.tif 000005